(57)【特許請求の範囲】
【請求項１】
左右１対の支柱間に複数の踏み桟が渡し止められてなる梯子体における各支柱の左右方向外側面の下部に、上端部が、前後方向にのびる回動軸を中心として回動自在に取り付けられている左右２つの開閉可能な脚本体と、
左右各脚本体にその長さ方向に沿ってスライド自在に取り付けられ、かつ下端部が左右各支柱の下端よりも下方に突出して接地部となされている左右２つの伸縮脚部材と、
左右各伸縮脚部材を所要のスライド位置において左右各脚本体にロックする左右２つの伸縮ロック装置と、
左右支柱の下端部間に渡し止められ、かつ左右両端が両支柱の左右方向外側面にそれぞれ開口させられているスリーブと、
左右各脚本体の下端部または長さ中間部に、一端部が、前後方向にのびる回動軸を中心として回動自在に取り付けられているとともに、他端部からスリーブ内に挿入され、スリーブ内において左右各脚本体の開閉に応じて挿入深さならびに左右各支柱およびスリーブに対する角度が変化するように傾動可能となされている左右２つの支持バーと、
左右各脚本体を所要の開閉位置で固定するために、左右各支持バーを所要の挿入深さでスリーブにロックする左右２つの開閉ロック装置とを備えている、アウトリガー式脚装置。
【請求項２】
左右脚本体が閉じた状態のときに、スリーブ内において左右支持バーの挿入部分どうしが上下に配されている、請求項１記載のアウトリガー式脚装置。
【請求項３】
左右支持バーの他端部に、互いに滑り接触して、両支持バーの挿入部分を上下に配されるように誘導する誘導キャップが設けられている、請求項２記載のアウトリガー式脚装置。
【請求項４】
左右各開閉ロック装置が、
左右各支持バーに長さ方向に間隔をおいて形成されている複数の係合部と、
スリーブ内に前後方向にのびる揺動軸を中心として揺動自在に組み込まれかつ先端部に支持バーの係合部に下方から係り止められる係合部を有しているロック爪と、
ロック爪をその係合部が支持バーの係合部に係り止められる方向に向かって付勢する弾性部材と、
ロック爪の基端部に連なってロック爪と反対方向にのびるとともにスリーブの底壁に形成された連通窓を通じて下方に突出させられており、上方に押圧することにより弾性部材の弾性力に抗してロック爪をその係合部が支持バーの係合部から外れる方向に揺動させる操作レバーとを備えている、請求項１〜３のいずれか１つに記載のアウトリガー式脚装置。
【請求項５】
操作レバーの長さ中間部または基端部から操作レバーの長さ方向と交差するように斜め下方に向かってのびる分岐片が、操作レバーと一体に設けられており、
分岐片は、ロック爪の係合部が支持バーの係合部に係り止められたロック状態において、分岐片の先端が操作レバーの先端とほぼ同一のレベルに並ぶとともに、分岐片の先端と操作レバーの先端との間にロック爪の揺動軸が位置するように形成されている、請求項４記載のアウトリガー式脚装置。
【請求項６】
左右各伸縮脚部材が、左右各脚本体の左右方向外側面にその長さ方向に沿ってスライド自在に取り付けられており、伸縮ロック装置の操作部が、伸縮脚部材に設けられている、請求項１〜５のいずれか１つに記載のアウトリガー式脚装置。
【請求項７】
左右各脚本体および伸縮脚部材に、互いに長さ方向にスライド可能に嵌め合わせられる嵌合部が設けられており、
左右各伸縮ロック装置は、左右各脚本体の左右方向外側面に設けられかつ左右各脚本体の長さ方向に沿って並んだ多数の歯を有するラックと、左右各伸縮脚部材に前後方向にのびる揺動軸を中心として揺動自在に組み込まれかつ先端部にラックの歯と噛み合わせられる歯を有しているロック爪と、ロック爪をその歯がラックの歯と噛み合わせられる方向に向かって付勢する弾性部材と、ロック爪の基端部に連なってロック爪と反対方向にのびるように設けられかつ伸縮脚部材の左右方向外側面に形成された操作窓を通じて左右方向内方に押圧することにより弾性部材の弾性力に抗してロック爪をその歯がラックの歯から外れる方向に揺動させる操作レバーとを備えている、請求項６記載のアウトリガー式脚装置。
【発明の詳細な説明】
【技術分野】
【０００１】
この発明は、左右１対の支柱間に複数の踏み桟が渡し止められてなる梯子体を備えた梯子、脚立、作業台等において、梯子体の左右支柱の外側に張出し可能に設けられたアウトリガー式脚装置に関する。
【背景技術】
【０００２】
梯子、脚立、作業台等として、梯子体の左右１対の支柱の外側に補助支柱（アウトリガー）が設けられたものが知られている。各補助支柱は、その上端部が左右各支柱に回動可能に取り付けられることにより、開閉可能となされている。また、各補助支柱は、伸縮可能となされており、その下端部に接地部が設けられている（例えば、下記の特許文献１参照）。
【０００３】
上記構造の梯子等によれば、両補助支柱の下端部に設けられた接地部によって荷重の一部が受けられるため、使用時の左右方向の安定性が向上し、より安全に昇降や高所作業を行うことができる。
【先行技術文献】
【特許文献】
【０００４】
【特許文献１】特開２００５−４２５０７号公報
【発明の概要】
【発明が解決しようとする課題】
【０００５】
しかしながら、上記構造の梯子等の場合、荷重の大部分は、一般にアルミニウム形材等の単一材からなる両支柱の下端部に設けられた接地部で受けられるため、接地面が水平面であることが前提である。そのため、これを段差地や傾斜地に設置しようとしても、垂直な状態にはならず、安全に使用することができないという問題があった。
【０００６】
この発明の目的は、梯子、脚立、作業台等を、傾斜地や段差地においても、垂直な状態に設置して安全に使用することができる上、使用時の左右方向の安定性も向上させることが可能なアウトリガー式脚装置を提供することにある。
【課題を解決するための手段】
【０００７】
この発明は、上記の目的を達成するために、以下の態様からなる。
【０００８】
１）左右１対の支柱間に複数の踏み桟が渡し止められてなる梯子体における各支柱の左右方向外側面に、上端部が、前後方向にのびる回動軸を中心として回動自在に取り付けられている左右２つの開閉可能な脚本体と、
左右各脚本体にその長さ方向に沿ってスライド自在に取り付けられ、かつ下端部が左右各支柱の下端よりも下方に突出して接地部となされている左右２つの伸縮脚部材と、
左右各伸縮脚部材を所要のスライド位置において左右各脚本体にロックする左右２つの伸縮ロック装置と、
左右支柱の下端部間に渡し止められ、かつ左右両端が両支柱の左右方向外側面にそれぞれ開口させられているスリーブと、
左右各脚本体の下端部または長さ中間部に、一端部が、前後方向にのびる回動軸を中心として回動自在に取り付けられているとともに、他端部からスリーブ内に挿入され、スリーブ内において左右各脚本体の開閉に応じて傾動可能となされている左右２つの支持バーと、
左右各脚本体を所要の開閉位置で固定するために、左右各支持バーを所要の挿入深さでスリーブにロックする左右２つの開閉ロック装置とを備えている、アウトリガー式脚装置。
【０００９】
２）左右脚本体が閉じた状態のときに、スリーブ内において左右支持バーの挿入部分どうしが上下に配されている、上記１）のアウトリガー式脚装置。
【００１０】
３）左右支持バーの他端部に、互いに滑り接触して、両支持バーの挿入部分を上下に配されるように誘導する誘導キャップが設けられている、上記２）のアウトリガー式脚装置。
【００１１】
４）左右各開閉ロック装置が、
左右各支持バーに長さ方向に間隔をおいて形成されている複数の係合部と、
スリーブ内に前後方向にのびる揺動軸を中心として揺動自在に組み込まれかつ先端部に支持バーの係合部に下方から係り止められる係合部を有しているロック爪と、
ロック爪をその係合部が支持バーの係合部に係り止められる方向に向かって付勢する弾性部材と、
ロック爪の基端部に連なってロック爪と反対方向にのびるとともにスリーブの底壁に形成された連通窓を通じて下方に突出させられており、上方に押圧することにより弾性部材の弾性力に抗してロック爪をその係合部が支持バーの係合部から外れる方向に揺動させる操作レバーとを備えている、上記１）〜３）のいずれか１つのアウトリガー式脚装置。
【００１２】
５）操作レバーの長さ中間部または基端部から操作レバーの長さ方向と交差するように斜め下方に向かってのびる分岐片が、操作レバーと一体に設けられており、
分岐片は、ロック爪の係合部が支持バーの係合部に係り止められたロック状態において、分岐片の先端が操作レバーの先端とほぼ同一のレベルに並ぶとともに、分岐片の先端と操作レバーの先端との間にロック爪の揺動軸が位置するように形成されている、上記４）のアウトリガー式脚装置。
【００１３】
６）左右各伸縮脚部材が、左右各脚本体の左右方向外側面にその長さ方向に沿ってスライド自在に取り付けられており、伸縮ロック装置の操作部が、伸縮脚部材に設けられている、上記１）〜５）のいずれか１つのアウトリガー式脚装置。
【００１４】
７）左右各脚本体および伸縮脚部材に、互いに長さ方向にスライド可能に嵌め合わせられる嵌合部が設けられており、
左右各伸縮ロック装置は、左右各脚本体の左右方向外側面に設けられかつ左右各脚本体の長さ方向に沿って並んだ多数の歯を有するラックと、左右各伸縮脚部材に前後方向にのびる揺動軸を中心として揺動自在に組み込まれかつ先端部にラックの
歯と噛み合わせられる歯を有しているロック爪と、ロック爪をその歯がラックの歯と噛み合わせられる方向に向かって付勢する弾性部材と、ロック爪の基端部に連なってロック爪と反対方向にのびるように設けられかつ伸縮脚部材の左右方向外側面に形成された操作窓を通じて左右方向内方に押圧することにより弾性部材の弾性力に抗してロック爪をその歯がラックの歯から外れる方向に揺動させる操作レバーとを備えている、上記６）のアウトリガー式脚装置。
【発明の効果】
【００１５】
上記１）のアウトリガー式脚装置によれば、同装置が備えられた梯子、脚立、作業台等を設置する箇所の傾斜や段差に応じて、少なくとも左右いずれか一方の脚本体を開いて開閉ロック装置によりロックするとともに、少なくとも左右いずれか一方の伸縮脚部材を所要方向に所要長さスライドさせて伸縮ロック装置によりロックすることにより、梯子等を垂直な状態に設置することができる上、左右方向の安定性も高められるので、昇降や高所作業を安全に行うことができる。
また、上記１）のアウトリガー式脚装置によれば、左右各支持バーが、スリーブ内において左右各脚本体の開閉に応じて傾動可能となされているので、脚本体の開閉がスムーズに行われ、優れた操作性が得られる。
さらに、上記１）のアウトリガー式脚装置によれば、開閉ロック装置により左右各脚部材を所要の開閉位置でロックする操作と、伸縮ロック装置により左右各伸縮脚部材を所要のスライド位置でロックする操作とを、別個に独立して行うことができるため、左右それぞれの側での脚の開度および伸縮長さの調整が容易である。
【００１６】
上記２）のアウトリガー式脚装置によれば、左右支持バーの全長を長くすることが可能であり、ひいては、左右各脚本体を開いた状態のときにスリーブ内に挿入されている支持バー部分が長くなり、同部分によって、梯子等の昇降時に生じる前後方向の荷重が適正に受けられるので、優れた耐荷重強度が得られる。
【００１７】
上記３）のアウトリガー式脚装置によれば、左右の支持バーを挿入方向に移動させて左右の脚本体を閉じる操作を行う際、両支持バーの他端部に設けられた誘導キャップどうしが滑り接触することによって、両支持バーの挿入部分が上下に配されるように誘導されるので、同操作をスムーズに行うことができる。
【００１８】
上記４）のアウトリガー式脚装置によれば、スリーブの底壁に形成された連通窓を通じて下方に突出させられた操作レバーを手指で上向きに押圧することにより、開閉ロック装置のロック解除を簡単に行うことができるので、優れた操作性が得られる。
【００１９】
上記５）のアウトリガー式脚装置によれば、例えば、同装置を備えた梯子、脚立、作業台等を所定の箇所に設置する際に、開閉ロック装置の操作レバーが異物の上に乗ったとしても、操作レバーの先端とほぼ同時に分岐片の先端が異物に当たることで、操作レバーがロック解除方向に回動するのが阻止されるので、不要にロック解除されるおそれがない。
【００２０】
上記６）のアウトリガー式脚装置によれば、伸縮脚部材を伸縮させる場合、同部材を片手で持ち、これと同じ手で伸縮ロック部材の操作部を操作しながら所要方向にスライドさせればよいので、例えば梯子等を立てたままの状態でも、伸縮脚部材の伸縮作業を片手で楽に行うことができ、また、他方の手で梯子等を支えて倒れるのを防止することができるので、安全に作業を行うことができる。
【００２１】
上記７）のアウトリガー式脚装置によれば、伸縮脚部材の左右方向外側面に形成された操作窓を通じて、操作レバーを手指で押圧することにより、伸縮ロック装置のロック解除を簡単に行うことができ、また、上記ロック解除を行いながら、伸縮脚部材のスライドを楽に行うことができるので、優れた操作性が得られる。
【図面の簡単な説明】
【００２２】
【図１】この発明の第１の実施形態に係る梯子の斜視図である。
【図２】上記梯子の下部に設けられたアウトリガー式脚装置を拡大して示すものであって、左右の脚本体を開くとともに、左伸縮脚部材を伸長させて、段差地に設置した状態の正面図である。
【図３】左脚本体を開いて水平面に設置した状態のアウトリガー式脚装置を拡大して示す正面図である。
【図４】左右脚本体を開いて水平面に設置した状態のアウトリガー式脚装置を拡大して示す正面図である。
【図５】図２のV−V線に沿う拡大水平断面図である。
【図６】図５のVI−VI線に沿う拡大垂直断面図である。
【図７】アウトリガー式脚装置を斜め下方から見た分解斜視図である。
【図８】アウトリガー式脚装置のスリーブおよび開閉ロック装置を示す部分切欠き斜視図である。
【図９】左右脚本体が開いた位置でロックされる際の開閉ロック装置の状態を示す垂直断面図である。
【図１０】左右脚本体が閉じた位置でロックされる際の開閉ロック装置の状態を示す垂直断面図である。
【図１１】図１０のXI−XI線に沿う拡大垂直断面図である。
【図１２】図１０のXII−XII線に沿う水平断面図である。
【図１３】開閉ロック装置の操作レバーの動作を示すものであって、(ａ)は脚本体が開位置でロックされた状態の部分拡大垂直断面図であり、(ｂ)は同位置でロック解除された状態の部分拡大垂直断面図であり、（ｃ）はロックされた状態で異物の上に乗ったときの部分拡大垂直断面図である。
【図１４】この発明の第２の実施形態に係る脚立の正面図である。
【発明を実施するための形態】
【００２３】
（第１の実施形態）
図１〜図９は、この発明の第１の実施形態を示すものである。
第１の実施形態は、この発明による伸縮脚装置を２連式梯子に適用したものである。
以下の説明において、「左右」とは図２〜図４の各左右をいい、「前」とは図５および図１２の各下側をいい、「後」とは図５および図１２の各上側をいうものとする。
【００２４】
図１に示すように、２連式梯子(1)は、上下２つの梯子体(2A)(2B)を伸縮自在に連結してなる。
上下各梯子体(2A)(2B)は、左右２本の支柱(3)と、両支柱(3)間に上下方向に等間隔おきに渡し止められた複数本の踏み桟(4)とを備えている。
【００２５】
図２〜図１３は、下梯子体(2B)の下部の詳細構造を示すものである。
下梯子体(2B)の左右各支柱(3)は、アルミニウム等の形材よりなる。左支柱(3)は、垂直な左側壁(31)と、左側壁(31)の前後縁から右方にのびた前後壁(32)とを備えた横断面略コ字形のものである（図７等参照）。右支柱(3)は、左支柱(3)と左右対称形であって、右側壁(31)および前後壁(32)を備えた横断面略コ字形のものである。
下梯子体(2B)の各踏み桟(4)は、例えば、図７に示すように、中空状のアルミニウム等の形材よりなり、その左端部が、左支柱(3)の左側壁(31)にあけられた挿通孔（図示略）に通されてバルジ加工により同孔の縁にカシメ止めされ、その右端部が、右支柱(3)の右側壁(31)にあけられた挿通孔（図示略）に通されてバルジ加工により同孔の縁にカシメ止めされている。
最下段の踏み桟(4)は、左支柱(3)の左側壁(31)および右支柱(3)の右側壁(31)における下端からやや上方に距離をおいた部分間に渡し止められている。
【００２６】
下梯子体(2B)の下部に、この発明によるアウトリガー式脚装置(5)が設けられている。
アウトリガー式脚装置(5)は、下梯子体(2B)における左右支柱(3)の左右側壁(31)外面の下部に、上端部が、前後方向にのびる回動軸を中心として回動自在に取り付けられている左右２つの開閉可能な脚本体(6)と、左右各脚本体(6)にその長さ方向に沿ってスライド自在に取り付けられ、かつ下端部が左右各支柱(3)の下端よりも下方に突出して接地部(70)となされている左右２つの伸縮脚部材(7)と、左右各伸縮脚部材(7)を所要のスライド位置において左右各脚本体(6)にロックする左右２つの伸縮ロック装置(8)と、左右支柱(3)の下端部間に渡し止められ、かつ左右両端が両支柱(3)の左右側壁(31)外面にそれぞれ開口させられているスリーブ(9)と、左右各脚本体(6)の下端部または長さ中間部に、一端部が、前後方向にのびる回動軸を中心として回動自在に取り付けられているとともに、他端部からスリーブ(9)内に挿入され、スリーブ(9)内において左右各脚本体(6)の開閉に応じて傾動可能となされている左右２つの支持バー(11)と、左右各脚本体(6)を所要の開閉位置で固定するために、左右各支持バー(11)を所要の挿入深さでスリーブ(9)にロックする左右２つの開閉ロック装置(12)を備えている。
上記の通り、アウトリガー式脚装置(5)は、スリーブ(9)が共用である点を除いて、左右２組の脚本体(6)、伸縮脚装置(7)、伸縮ロック装置(8)、支持バー(11)、および開閉ロック装置(12)によって構成されている。そして、各組の構成要素は、左右対称である点を除いて、同一の形状および構造を有するものである。よって、これらの構成要素の詳細については、左側のものを図面に基づいて以下に説明し、右側のものに関しては、必要な場合を除いて説明を省略することとする。
【００２７】
左脚本体(6)は、アルミニウム等の形材よりなり、垂直な左側壁(61)と、左側壁(61)の前後縁から右方にのびた前後壁(62)とを備えている横断面略コ字形のものである（図５等参照）。
左側壁(61)の外面には、左方に向かって突出した２つのガイド壁(63)が、前後に間隔をおいて形成されている。前後２つのガイド壁(63)の先端部には、互いに反対向きとなるように前後方向外方に折れ曲がった嵌合凸部(64)が設けられている。
左側壁(61)のうち両ガイド壁(63)間の部分は、その両側部分と比べて、右方にやや凹んでいる。両ガイド壁(63)の左右幅中間に、互いに向かい合うように短く突出した垂直凸条が設けられ、これらの垂直凸条と左側壁(61)の両ガイド壁(63)間部分との間に、内部拡大溝(65)が形成されている。
図７等に示すように、左脚本体(6)は、その上端部が、横断面コ字型のブラケット(66)を介して、左支柱(3)の左側壁(31)外面に取り付けられている。より詳細に言うと、まず、ブラケット(66)のベース壁(661)が、左支柱(3)の左側壁(31)外面に、複数組のボルト・ナット等によって接合固定され、次いで、ブラケット(66)のベース壁(661)の前後縁から左方にのびる前後壁(662)どうしの間に、左脚本体(6)の上端部が挿入されて、ブラケット(66)の前後壁(662)および左脚本体(6)の前後壁(62)を緩く貫通させられた回動ボルト(67)の先端にナット(68)がねじ嵌められることにより、左脚本体(6)が、左支柱(3)に開閉自在に取り付けられている（図７参照）。
図４に示すように、左脚本体(6)は、左支柱(3)と重なる閉じた状態において、その下端が左支柱(3)の下端とほぼ同一レベルに位置するように、左支柱(3)に取り付けられている。
左脚本体(6)の上端部には、その上端面を覆うように、キャップ(69)が装着されている。キャップ(69)は、例えば合成樹脂製であって、障害物との接触時にその力を逃がすように、片流れ屋根形の形状を有するものとなされている。
【００２８】
左伸縮脚部材(7)は、例えばアルミニウム等の形材よりなり、図５等に示すように、前後に長い略方形の横断面を有する中空状基部(71)と、基部(71)の右側壁の前後縁部分から右方に突出しかつ横断面略方形の中空状となされた前後２つの凸部(72)とを備えている。
基部(71)の前壁およびこれに連なる前側凸部(72)の前壁は、全体として右方に向かって斜め前方にのびている。同様に、基部(71)の後壁およびこれに連なる後側凸部(72)の後壁は、全体として右方に向かって斜め後方にのびている。
前側凸部(72)の右側壁は、後方に向かって斜め右方にのびているとともに、その後端縁部が後壁よりも後方に突出させられている。そして、前側凸部(72)の後壁および右側壁の後端縁部、ならびに同後端縁部と向かい合う基部(71)の右側壁部分によって、前嵌合凹部(73)が形成され、この前嵌合凹部(73)が、左脚本体(6)の前嵌合凸部(64)に長さ方向スライド自在に嵌め入れられている。
同様に、後側凸部(72)の右側壁は、前方に向かって斜め右方にのびているとともに、その前端縁部が前壁よりも前方に突出させられている。そして、後側凸部(72)の前壁および右側壁の前端縁部、ならびに同前端縁部と向かい合う基部(71)の右側壁部分によって、後嵌合凹部(73)が形成され、この後嵌合凹部(73)が、左脚本体(6)の後嵌合凸部(64)に長さ方向スライド自在に嵌め入れられている。
以上の嵌合構造により、左伸縮脚部材(7)が、左脚本体(6)にその長さ方向に沿ってスライド自在に取り付けられている。
左伸縮脚部材(7)の上端部には、基部(71)および前後２つの凸部(72)の上端開口を塞ぐように上キャップ(74)が装着されている。上キャップ(74)は、例えば合成樹脂製であって、障害物との接触時にその力を逃がすように、切妻屋根形の形状を有するものとなされている。
左伸縮脚部材(7)の下端部には、下キャップ(75)が装着されている。下キャップ(75)は、例えば合成樹脂製であって、左伸縮脚部材(7)の基部(71)および前後２つの凸部(72)の下端開口を塞ぐ水平板部(751)と、水平板部(751)から上方に突出して基部(71)内に嵌め込まれる嵌入部（図示略）とを備えている。
また、左伸縮脚部材(7)の下端部には、略円板状の接地部材(70)が、Ｕ形のブラケット(76)を介して、前後方向揺動自在に取り付けられている。この接地部材(70)により、左伸縮脚部材(7)下端の接地部が構成されている。接地部材(70)の下面には、例えばゴム製の滑り止めシート(70a)が貼り付けられている。
【００２９】
左伸縮ロック装置(8)は、図５および図６等に示すように、左脚本体(6)の左側壁(61)外面に設けられかつ左脚本体(6)の長さ方向に沿って並んだ多数の歯(811)を有するラック(81)と、左伸縮脚部材(7)に前後方向にのびる揺動軸を中心として揺動自在に組み込まれかつ先端部にラック(81)の歯(811)と噛み合わせられる歯(821)(822)を有しているロック爪(82)と、ロック爪(82)をその歯(821)(822)がラック(81)の歯(811)と噛み合わせられる方向に向かって付勢する弾性部材(83)と、ロック爪(82)の基端部に連なってロック爪(82)と反対方向にのびるように設けられかつ左伸縮脚部材(7)の表面に形成された操作窓(772)を通じて押圧されることにより弾性部材(83)の弾性力に抗してロック爪(82)をその歯(821)(822)がラック(81)の歯(811)から外れる方向に揺動させる操作レバー(84)（操作部）とを備えている。
ラック(81)は、歯(811)を有する面が左方を向くように左脚本体(6)の内部拡大溝(65)に嵌め込まれて、その上下両端部がリベット等により左脚本体(6)の左側壁(61)に接合固定されている。
図５および図６に示すように、ロック爪(81)、弾性部材(83)および操作レバー(84)は、ブラケット(85)内に組み込まれて、１つのユニットを構成している。
ブラケット(85)は、左方に開口した略Ｕ形の水平横断面を有する折り曲げ金属片よりなる。ブラケット(85)の右側壁(851)の上部は、ロック爪(82)の先端部を露出させるために切除されている。ブラケット(85)の右側壁(851)の下端部には、左方に向かって直角に折れ曲った底壁部(852)が連設されている。ブラケット(85)の前後壁(853)の高さ中間部には、挿通孔（図示略）が対向状にあけられている。ブラケット(85)の前壁(853)の上端部には、後壁(853)に向かって後方に直角に折れ曲がった上取付部(854)が連設されている。ブラケット(85)の前後壁(853)の下端部には、前後方向外方に向かって直角に折れ曲がった下取付部（図示略）が連設されている。
ロック爪(82)および操作レバー(84)は、１つの揺動片(80)によって構成されている。揺動片(80)は、その長さの中央部に前後貫通状の挿通孔(801)を有している。そして、揺動片(80)がブラケット(85)内に挿入されて、揺動片(80)の挿通孔(801)およびブラケット(85)の前後壁(853)の挿通孔にまたがってピン(86)が挿通されることにより、揺動片(80)がピン(86)を中心としてブラケット(85)に揺動自在に取り付けられている。ロック爪(82)は、揺動片(80)の上側部分によって構成され、操作レバー(84)は、揺動片(80)の下側部分によって構成されている。
ロック爪(82)の先端部には、上下に間隔をおいて並んだ４つの歯(821)(822)が、ラック(81)側、すなわち右方を向くように形成されている。
操作レバー(84)の先端部には、右方に向かってほぼ直角に折れ曲った２つの屈曲部(841)が、上下にやや間隔をおいて形成されている。
操作レバー(84)の左側面は、ロック解除時に手指で押される押圧部(84a)を構成している。押圧部(84a)には、手指の滑りを防止するために、横断面凹弧状をした複数本の水平溝(842)が、上下方向に等間隔おきに形成されている。
弾性部材(83)は、圧縮コイルばねよりなり、ブラケット(85)の右側壁(851)と揺動片(80)の下側部分の操作レバー(84)との間に介在されて、揺動片(80)を、その上側部分のロック爪(82)の歯(821)(822)がラック(81)の歯(811)に噛み合わせられるロック方向（図６の時計回り方向）に付勢している。
【００３０】
上記ユニットは、左伸縮脚部材(7)における基部(71)の左側壁の上部に形成された略方形状の孔(711)を通じて、左伸縮脚部材(7)内に収容され、ブラケット(85)の上下取付部(854)がリベット等で基部(71)の左側壁に接合されることにより、左伸縮脚部材(7)に固定されている。
ブラケット(85)の右側部分およびロック爪(82)の先端部は、左伸縮脚部材(7)における基部(71)の右側壁の上部に形成された縦長方形状の孔(712)を通じて、左伸縮脚部材(7)の裏面側に突出させられている。
左伸縮脚部材(7)における基部(71)の左側壁外面には、孔(711)および上記ユニットの一部を覆うように、略方形枠状のカバー(77)が被せられている。カバー(77)の上縁部には、左伸縮脚部材(7)の基部(71)の左側壁内面における孔(711)の上縁部に係り合わせられる前後２つのフック(771)が形成されている。そして、カバー(77)の下縁部が、リベット等によって、左伸縮脚部材(7)の基部(71)の左側壁に接合固定されている。
カバー(77)の中央開口部(772)には、揺動片(80)の操作レバー(84)の押圧部(84a)が、カバー(77)の表面側に突出しないように配されており、同中央開口部が操作窓(772)を構成している。このカバー(77)により、操作レバー(84)の押圧部(84a)が不用意に押圧されてロック解除されるのが防止される。
【００３１】
左伸縮脚部材(7)を伸長方向にスライドさせていくと、ブラケット(85)の底壁部(852)が、左脚本体(6)の左側壁(61)の下端部にねじ止められたボルト（図示略）の頭部に当接し、それによって、左伸縮脚部材(7)が左脚本体(6)の下方に抜けるのが阻止される。この時、左伸縮脚部材(7)の下方突出部分が最も長くなる最大伸縮状態となる。
一方、左伸縮脚部材(7)を縮める方向にスライドさせていくと、左伸縮脚部材(7)の下端部に装着された下キャップ(75)の嵌入部の上端が、左脚本体 (6)の下端面に当接し、それによって、左伸縮脚部材(7)が左脚本体(6)の上方に突き抜けるのが阻止される。この時、左伸縮脚部材(7)の下方突出部分が最も短くなる最小伸縮状態となる。
【００３２】
スリーブ(9)は、例えばアルミニウム等の中空形材よりなり、略方形状の横断面を有している（図１１等参照）。スリーブ(9)の頂壁(91)は、前後幅中央が最も高くなる切妻屋根形となされている。
スリーブ(9)の左端部は、左ブラケット(17)を介して、左支柱(3)の左側壁(31)内面に取り付けられ、スリーブ(9)の右端部は、右ブラケット(17)を介して、右支柱(3)の右側壁(31)内面に取り付けられている。
左右各ブラケット(17)は、左右方向内方に開口した略Ｕ形の水平横断面を有する折り曲げ金属板片からなる下ブラケット体(17a)と、前後方向にのびる横断面方形の中空金属形材よりなりかつ下ブラケット体(17a)の上端面に溶接等によって接合された上ブラケット体(17b)とで構成されている。下ブラケット体(17a)の側壁には、スリーブ(9)の左右各端の開口にほぼ合致する方形状の切欠部(171)が形成されているとともに、切欠部(171)の下縁および左右側縁の上部からスリーブ(9)内に向かって折り曲げられた内方折曲部(172)(173)が形成されている。これら下側および左右両側の内方折曲部(172)(173)により、左右各ブラケット(17)が、その切欠部(171)とスリーブ(9)の開口とがほぼ合致するように位置決めされた状態で保持され、左右各ブラケット(17)の下側内方折曲部(172)がスリーブ(9)の底壁(92)の左右各端部にリベット等で接合されることにより、スリーブ(9)に固定されている（図９等参照）。
そして、左ブラケット(17)における下ブラケット体(17a)の下端部および上ブラケット体(17b)が、左支柱(3)の左側壁(31)内面に、それぞれボルト・ナット等によって接合固定されるとともに、右ブラケット(17)における下ブラケット体(17a)の下端部および上ブラケット体(17b)が、右支柱(3)の右側壁(31)内面に、それぞれボルト・ナット等によって接合固定されることにより、スリーブ(9)が左右支柱(3)の下端部間に渡し止められている。
左支柱(3)における左側壁(31)の下端部および右支柱(3)における右側壁(31)の下端部には、左右各ブラケット(17)の切欠部(171)にほぼ合致するように、方形状の連通孔(311)があけられている。これらの連通孔(311)および切欠部(171)を通じて、スリーブ(9)の左端が左支柱(3)の左側壁(31)外面に開口させられ、スリーブ(9)の右端が右支柱(3)の右側壁(31)外面に開口させられている（図７，９，１２等参照）。
【００３３】
左支持バー(11)は、例えばアルミニウム等の形材よりなり、前後方向に長い略方形の横断面を有する偏平中空棒状のものとなされている。
左支持バー(11)の左端部は、左脚本体(6)の前後壁における下端部よりもやや上方部分間に挿入され、これらを前後方向に貫通した回動ボルト(181)およびその先端にねじ嵌められたナット(182)により、左脚本体(6)に回動自在に取り付けられている。
左支持バー(11)は、その右端部から、スリーブ(9)の左端開口を通じてスリーブ(9)内に挿入されている。
左支持バー(11)の前後幅は、スリーブ(9)内部の前後幅よりもやや小さいものとなされている。
一方、左支持バー(11)の上下厚みは、スリーブ(9)内部の上下高さと比べてかなり小さいもの（例えば、図１１に示すように、約１／２〜１／３程度）となされている。従って、左支持バー(11)は、スリーブ(9)内において、左脚本体(6)の開閉に応じて傾動可能であり（図２，図４，図９，図１０参照）、左脚本体(6)の開閉動作に支障を来すことがない。
また、左支持バー(11)は、左脚本体(6)が閉じた状態の時に、スリーブ(9)内に左端から半分を超える深さ（ここでは、左端から約２／３程度の深さ）まで挿入されるような長さを有している（図４，図１０参照）。
左右脚本体(6)が閉じた状態では、スリーブ(9)内において、左右支持バー(11)の挿入部分どうしが上下に配されている。これら挿入部分の上下位置関係は、先に閉じられた脚本体(6)側の支持バー(11)の挿入部分が下となり、もう一方の支持バー(11)の挿入部分が下となる。
左支持バー(11)の右端部および右支持バー(11)の左端部には、それぞれ誘導キャップ(19)が装着されている。これらの誘導キャップ(19)は、左右支持バー(11)を挿入方向に移動させて左右脚本体(6)を閉じる操作を行う際、互いに滑り接触して、両支持バー(11)の挿入部分を上下に配されるように誘導するものである。各誘導キャップ(19)は、例えば合成樹脂よりなり、各支持バー(11)の先端開口に嵌め込まれてリベット等により接合固定されている嵌入部(19a)と、嵌入部(19a)に連なって支持バー(11)から突出するように設けられかつ先端が尖った略横向きＶ形の横断面を有している誘導部(19b)とを備えている。誘導部(19b)は、上下両面がやや膨らんだ傾斜状の滑り面(191)となされている。また、誘導キャップ(19)には、誘導部(19b)の基端部分から前後方向外方に向かって短く突出した前後２つの垂直凸条(192)が形成されている（図１２参照）。これらの垂直凸条(192)が、後述するブラケット(16)の前後立上り壁(162)の左右方向内側縁と当接させられることにより、左右各支持バー(11)がスリーブ(9)から抜けて外れるのが防止される。
【００３４】
左開閉ロック装置(12)は、左支持バー(11)に長さ方向に間隔をおいて形成されている複数の係合部(13)と、スリーブ(9)内に前後方向にのびる揺動軸を中心として揺動自在に組み込まれかつ先端部に左支持バー(11)の係合部(13)に下方から係り止められる係合部(141a)を有しているロック爪(141)と、ロック爪(141)をその係合部(141a)が左支持バー(11)の係合部(13)に係り止められる方向に向かって付勢する弾性部材(15)と、ロック爪(141)の基端部に連なってロック爪(141)と反対方向にのびるとともにスリーブ(9)の底壁(92)に形成された連通窓(921)を通じて下方に突出させられており、上方に押圧することにより弾性部材(15)の弾性力に抗してロック爪(141)をその係合部(141a)が左支持バー(11)の係合部(13)から外れる方向に揺動させる操作レバー(142)とを備えている。
左支持バー(11)の係合部は、左支持バー(11)の底壁に長さ方向に間隔をおいて形成されている左右２つの係合孔(13)よりなる。なお、係合孔の数は３つ以上としてもよく、それによって脚本体の開度をより多段階に調整することが可能となる。
図８や図９等に示すように、ロック爪(141)、弾性部材(15)および操作レバー(142)は、ブラケット(16)内に組み込まれて、１つのユニットを構成している。
ブラケット(16)は、上方に開口した略Ｕ形の垂直横断面を有する折り曲げ金属片よりなり、スリーブ(9)の底壁(92)上面に重ねられる底壁(161)と、底壁(161)の前後縁から上方にのびかつスリーブ(9)の前後側壁(93)内面の下部に重ねられる前後立上り壁(162)とを備えている。ブラケット(16)の底壁(161)は、スリーブ(9)における底壁(92)上面の左端寄り部分に重ねられて、リベット等により同部分に接合固定されている。ブラケット(16)の前後各立上り壁(162)には、その中央部に挿通孔(162a)があけられている（図８参照）。また、これらの挿通孔(162a)に合致するように、スリーブ(9)の前後側壁(93)に挿通孔（図示略）があけられている。
ロック爪(141)および操作レバー(142)は、１つの揺動片(140)によって構成されている。揺動片(140)は、その長さの中間部に前後貫通状の挿通孔(140a)を有している。そして、揺動片(140)がブラケット(16)内に挿入されて、揺動片(140)の挿通孔(140a)、ブラケット(16)の前後立上り壁(162)の挿通孔(162a)、およびスリーブ(9)の前後側壁(93)の挿通孔にまたがって回動ボルト(21)が挿通され、その先端部にナット(22)がねじ嵌められることにより、揺動片(140)が回動ボルト(21)を中心としてブラケット(16)、ひいてはスリーブ(9)に揺動自在に取り付けられている。ロック爪(141)は、揺動片(140)の左右方向外側部分によって構成され、操作レバー(142)は、揺動片(140)の左右方向内側部分によって構成されている。
ロック爪(141)の係合部は、ロック爪(141)の先端部から上向きに折れ曲がった係合凸部(141a)よりなり、左支持バー(11)の各係合孔(13)に嵌め入れられて、同孔(13)の縁に係り止められるようになっている。
操作レバー(142)は、揺動片(140)の揺動軸（回動ボルト(21)）からやや偏心した位置から、ロック爪(141)と反対向きにのびており、ロック爪(141)よりやや短いものとなされている。この操作レバー(142)は、ブラケット(16)の底壁(161)に形成された連通孔(161a)、およびこの連通孔(161a)と合致するようにスリーブ(9)の底壁(92)に形成された連通窓(921)を通じて、スリーブ(9)の下方に突出させられている。操作レバー(142)の下側面は、ロック解除時に手指で押される押圧部(142a)を構成している。押圧部(142a)には、手指の滑りを防止するために、横断面凹弧状をした複数本の水平溝(142b)が、左右方向に等間隔おきに形成されている（図８等参照）。
また、揺動片(140)には、操作レバー(142)の長さ中間部から操作レバー(142)の長さ方向と交差するように斜め下方に向かってのびる分岐片(143)が、操作レバー(142)と一体に設けられている。この分岐片(143)は、ロック爪(141)の係合凸部(141a)が支持バー(11)の係合孔(13)の縁に係り止められたロック状態において、分岐片(143)の先端が操作レバー(142)の先端とほぼ同一のレベルに並ぶとともに、分岐片(143)の先端と操作レバー(142)の先端との間にロック爪(141)の揺動軸（回動ボルト(21)）が位置するように形成されている。
弾性部材(15)は、ねじりコイルばね（より詳細には、ダブルトーションばね）よりなり、そのコイル部が回動ボルト(21)の外側に嵌められた状態で、その両端部がブラケット(16)の底壁(161)とロック爪(141)との間に介在されている。このねじりコイルばね(15)によって、揺動片(140)を、その左右方向外側部分のロック爪(141)の係合凸部(141a)が支持バー(11)の係合孔(13)に嵌め込まれて同孔(13)の縁に係り止められるロック方向に付勢している。
【００３５】
上記梯子(1)は、通常、そのアウトリガー式脚装置(5)が、図４に示す状態、すなわち、左右脚本体(6)が閉じられるとともに、左右伸縮脚部材(7)が最も縮んだ状態で、保管・運搬等される。この状態では、左右各脚本体(6)が、開閉ロック装置(12)によって閉位置にロックされており、また、左右各伸縮脚部材(7)が、伸縮ロック装置(8)によって最小伸縮位置にロックされているので、脚本体(6)や伸縮脚(7)が不用意に動くのが防止され、運搬等を支障なく行うことができる。
【００３６】
上記梯子(1)を、図２に示すように、右側の設置面(G1)が左側の設置面(G2)よりも高くなっている段差地に設置する場合、例えば、以下のような手順で、アウトリガー式脚装置(5)の操作を行うことができる。
まず、図４に示す状態から、左右各開閉ロック装置(12)の操作レバー(142)を片手の指で上方に押して、ロック爪(141)の係合凸部(141a)を左右各支持バー(11)の左右方向外側の係合孔(13)から外すことによりロック解除しながら（図１３（ｂ）参照）、もう一方の手で左右各脚本体(6)を持って、閉位置から開位置に向かって回動させる。そして、脚本体(6)が所定角度（例えば約２０°）開いた開位置まで回動させられた時点で、開閉ロック装置(12)のロック爪(141)の係合凸部(141a)が、弾性部材(15)の付勢力により、支持バー(11)の左右方向内側の係合孔(13)に嵌め込まれて同孔(13)の縁に係り止められることにより、自動的にロック状態に移行する（図９等参照）。この操作は、梯子(1)を立てたままの状態とせず、地面等に倒した状態で行うのが好ましい。
次いで、梯子(1)を立てた状態にして、右伸縮脚部材(7)の下端の接地部(70)を右側の上位の設置面(G1)に載せる。この状態で、梯子(1)をほぼ垂直になるように片手で支えながら、もう一方の手で、左伸縮脚部材(7)を持つとともに、その指で左伸縮ロック装置(8)の操作レバー(84)を右方に押してロック解除しながら、左伸縮脚部材(7)を所要長さだけ伸長方向にスライドさせ、左伸縮脚部材(7)下端の接地部(70)を左側の下位の設置面(G2)に載せる。
こうして、梯子(1)を段差地に垂直に設置して、安全に使用することができる。しかも、上記梯子(1)によれば、アウトリガー式脚装置(5)の左右脚本体(6)を開いた状態で設置することができるので、それによって左右方向の安定性が向上し、昇降時や高所作業時にも傾いたり、ぐらついたりせず、より安全に作業等を行うことが可能である。さらに、上記梯子(1)の場合、左右脚本体(6)が開いた状態において、スリーブ(9)内に配される左右支持バー(11)の挿入部分の長さが長いため、昇降時等に作用する前後方向の荷重に対しても優れた耐荷重性能が得られる。
【００３７】
また、上記梯子(1)は、図３に示すように、その一方の脚本体(6)（図面では、左脚本体(6)）のみを開いた状態で、水平面等に設置することも可能である。
このような使用態様は、例えば、右脚本体(6)をその近辺に障害物があって開くことができないような場合に、適用することができる。
【００３８】
上記の梯子(1)を設置する際、設置面から例えば石等のような異物(A)が上方に飛び出している場合があるが、この異物(A)が、梯子(1)の設置時等に、下梯子体(2B)の下方に位置する開閉ロック装置(12)の操作レバー(142)に当接すると、操作レバー(142)がロック解除方向に揺動して、脚本体(6)が不用意に回動してしまうおそれがある。
このような懸念を解消するため、この実施形態に係る梯子(1)のアウトリガー式脚装置(5)では、図９（ｃ）に示すように、異物(A)の上面に、操作レバー(142)の先端と分岐片(143)の先端がほぼ同時に当接するようになっている。そして、分岐片(143)は、その先端と操作レバー(142)の先端との間にロック爪(141)の揺動軸（回動ボルト(21)）が位置するように形成されているため、操作レバー(142)がロック解除方向に揺動するリスクが軽減される。
【００３９】
（第２の実施形態）
図１４は、この発明の第２の実施形態を示すものである。
第２の実施形態は、この発明によるアウトリガー式脚装置を脚立に適用したものである。
図１４に示すように、脚立(10)は、前梯子体(20A)および後梯子体（図示略）の上端部どうしを、ヒンジ金具(201)により開閉自在に連結してなる。
前後各梯子体(20A)は、左右２本の支柱(30)と、両支柱(30)間に上下方向に等間隔おきに渡し止められた複数本の踏み桟(40)とを備えている。
前後各梯子体(20A)の支柱(30)および踏み桟(40)は、第１の実施形態の梯子(1)における上下各梯子体(2A)(2B)の支柱(3)および踏み桟(4)と実質的に同一である。
前後各梯子体(20A)の下部には、アウトリガー式脚装置(50)が設けられている。
これらのアウトリガー式脚装置(50)は、第１の実施形態のアウトリガー式脚装置(5)と実質的に同一の構造を有しており、同装置(5)と実質的に同一の作用効果を奏するものである。
【００４０】
なお、上記の各実施形態はあくまでも例示にすぎず、特許請求の範囲に記載された要旨を逸脱しない範囲内で適宜に変更を加えた形態として、この発明を実施することも勿論可能である。
【符号の説明】
【００４１】
(1)：２連式梯子
(2A)：上梯子体
(2B)：下梯子体
(3)：支柱
(4)：踏み桟
(5)：アウトリガー式脚装置
(6)：脚本体
(64)：嵌合凸部（嵌合部）
(7)：伸縮脚部材
(70)：接地部材（接地部）
(73)：嵌合凹部（嵌合部）
(772)：操作窓
(8)：伸縮ロック装置
(81)：ラック
(811)：（ラックの）歯
(82)：ロック爪
(821)(822)：（ロック爪の）歯
(83)：弾性部材
(84)：操作レバー（操作部）
(9)：スリーブ
(92)：底壁
(921)：連通窓
(11)：支持バー
(12)：開閉ロック装置
(13)：係合孔（係合部）
(141)：ロック爪
(141a)：係合凸部（係合部）
(142)：操作レバー
(143)：分岐片
(15)：弾性部材
(19)：誘導キャップ
(10)：脚立
(20A)：前梯子体
(30)：支柱
(40)：踏み桟
(50)：アウトリガー式脚装置
【図１】
0006634238.tif 000002
【図２】
0006634238.tif 000003
【図３】
0006634238.tif 000004
【図４】
0006634238.tif 000005
【図５】
0006634238.tif 000006
【図６】
0006634238.tif 000007
【図７】
0006634238.tif 000008
【図８】
0006634238.tif 000009
【図９】
0006634238.tif 000010
【図１０】
0006634238.tif 000011
【図１１】
0006634238.tif 000012
【図１２】
0006634238.tif 000013
【図１３】
0006634238.tif 000014
【図１４】
0006634238.tif 000015